(57)【要約】      （修正有）【課題】輪ゴムの装着が簡単で、しかも、輪ゴムの劣化を防止でき、発射すべきときだけ輪ゴムを発射することができる連発式輪ゴム銃を提供する。【解決手段】トリガ２０の操作に伴ってスライド３０が付勢部材の付勢力によって前方に移動する力によってシリンダ１０を回転させて発射単位の輪ゴムを発射位置にセットするシリンダ回転手段Ｃと、スライドが前方位置に移動した際にフック３１を発射位置にある輪ゴムの後端部に引っ掛け、スライドが後方位置に移動する際に輪ゴムを緊張させるとともに、スライドが前進する際に輪ゴムの後端部へのフックの引っ掛かりを解除させるフック動作手段Ｂを備える。【選択図】図２
0003195039.tif 000002
【実用新案登録請求の範囲】
【請求項１】
トリガと、
発射単位の輪ゴムを係止するための前側輪ゴム係止部と後側輪ゴム係止部との組が円周方向に複数設けられたシリンダと、
前後方向に移動可能で付勢部材の付勢力によって前方位置に向けて付勢されたスライドと、
前記スライドが前記付勢部材の付勢力によって前方に移動する力によって前記シリンダを回転させて発射単位の前記輪ゴムを発射位置にセットするシリンダ回転手段と、
前記スライドを前記付勢部材による付勢力に抗して後方位置に係止するとともに前記トリガの操作によって当該スライドの係止を解除するスライド係止手段と、
前記スライドに設けられ発射位置にある発射単位の前記輪ゴムの後端部に引っ掛けるためのフックと、
前記スライドが前方位置に移動した際に前記フックを発射位置にある発射単位の前記輪ゴムの後端部に引っ掛け、当該スライドが後方位置に移動する際に当該発射単位の前記輪ゴムを緊張させるとともに、当該スライドが前進する際に当該発射単位の前記輪ゴムの後端部への前記フックの引っ掛かりを解除させるフック動作手段とを備えた、
ことを特徴とする連発式輪ゴム銃。
【請求項２】
前記フック動作手段はカム機構によって構成されていることを特徴とする請求項１に記載の連発式輪ゴム銃。
【請求項３】
前記後側輪ゴム係止部は、前記シリンダの軸部から突出し前記フックの先端部を受容する間隔を隔てて設けられた２つの爪によって構成されていることを特徴とする請求項１又は請求項２に記載の連発式輪ゴム銃。
【請求項４】
前記シリンダ回転手段は、前記スライドの直線運動を回転運動に変換する運動変換機構と、前記運動変換機構によって変換された回転運動を前記シリンダに伝達するワンウェイクラッチ機構とを備えることを特徴とする請求項１から請求項３いずれか一項に記載の連発式輪ゴム銃。
【考案の詳細な説明】
【技術分野】
【０００１】
本考案は、連発式輪ゴム銃に関するものである。
【背景技術】
【０００２】
従来、輪ゴムを使用する輪ゴム銃として、前爪（前側輪ゴム係止部）と後爪（後側輪ゴム係止部）との組を円周方向に等間隔に複数有するシリンダを備え、各組を構成する前爪と後爪とに輪ゴムを係止し、シリンダを回転させることで発射すべき輪ゴムを選択した後、トリガを操作することによって、輪ゴムを発射するように構成したものが知られている（例えば、特許文献１及び特許文献２参照）。
【先行技術文献】
【特許文献】
【０００３】
【特許文献１】実開昭６２−９９５号公報
【特許文献２】特開昭６０−５５９８６号公報
【考案の概要】
【考案が解決しようとする課題】
【０００４】
しかしながら、上記特許文献１及び特許文献２に記載の技術では、シリンダに複数の輪ゴムを装着するにあたり全ての輪ゴムを発射直前の引っ張り状態とする必要があるため、シリンダへの輪ゴムの装着が面倒である。しかも、シリンダに輪ゴムを装着したまま途中でゲームを止め長期間そのままの状態を保持すると、シリンダに装着されている輪ゴムが伸びきって劣化するという問題がある。さらに、シリンダに装着される複数の輪ゴムを発射直前の引っ張り状態としておくと、トリガを操作しない場合でも輪ゴム銃が何かに触れた場合などに輪ゴムが発射されてしまうことも考えられる。
【０００５】
本考案は、斯かる実情に鑑みなされたもので、輪ゴムの装着が簡単で、しかも、輪ゴムの劣化を防止でき、発射すべきときだけ輪ゴムを発射することができる連発式輪ゴム銃を提供することを目的するものである。
【課題を解決するための手段】
【０００６】
請求項１に記載の連発式輪ゴム銃は、
トリガと、
発射単位の輪ゴムを係止するための前側輪ゴム係止部と後側輪ゴム係止部との組が円周方向に複数設けられたシリンダと、
前後方向に移動可能で付勢部材の付勢力によって前方位置に向けて付勢されたスライドと、
前記スライドが前記付勢部材の付勢力によって前方に移動する力によって前記シリンダを回転させて発射単位の前記輪ゴムを発射位置にセットするシリンダ回転手段と、
前記スライドを前記付勢部材による付勢力に抗して後方位置に係止するとともに前記トリガの操作によって当該スライドの係止を解除するスライド係止手段と、
前記スライドに設けられ発射位置にある発射単位の前記輪ゴムの後端部に引っ掛けるためのフックと、
前記スライドが前方位置に移動した際に前記フックを発射位置にある発射単位の前記輪ゴムの後端部に引っ掛け、当該スライドが後方位置に移動する際に当該発射単位の前記輪ゴムを緊張させるとともに、当該スライドが前進する際に当該発射単位の前記輪ゴムの後端部への前記フックの引っ掛かりを解除させるフック動作手段とを備えた、
ことを特徴とする連発式輪ゴム銃である。
【０００７】
請求項２に記載の連発式輪ゴム銃は、請求項１に記載の連発式輪ゴム銃であって、前記フック動作手段はカム機構によって構成されていることを特徴とする。
【０００８】
請求項３に記載の連発式輪ゴム銃は、請求項１又は請求項２に記載の連発式輪ゴム銃であって、前記後側輪ゴム係止部は、前記シリンダの軸部から突出し前記フックの先端部を受容する間隔を隔てて設けられた２つの爪によって構成されていることを特徴とする。
【０００９】
請求項４に記載の連発式輪ゴム銃は、請求項１から請求項３いずれか一項に記載の連発式輪ゴム銃であって、前記シリンダ回転手段は、前記スライドの直線運動を回転運動に変換する運動変換機構と、前記運動変換機構によって変換された回転運動を前記シリンダに伝達するワンウェイクラッチ機構とを備えることを特徴とする。
【考案の効果】
【００１０】
請求項１に記載の連発式輪ゴム銃によれば、発射すべき単位の輪ゴムをさほど緊張させることなくシリンダに装着できる。また、スライドが前方位置に移動した際にフック動作手段によってフックが発射すべき単位の輪ゴムの後端部に引っ掛かり、スライドを後方位置に移動させトリガを操作するだけで輪ゴムが発射される。その後、スライドが付勢部材の付勢力によって前方位置まで移動することにより、シリンダ回転手段によってシリンダが回転し、次に発射すべき単位の輪ゴムの後端部にフックが引っ掛かるので、スライド式銃のような感覚で輪ゴムを連続的に発射させることができる。
【００１１】
請求項２に記載の連発式輪ゴム銃によれば、カム機構によってフックを動作させているので、発射すべき単位の輪ゴムの後端部に対するフックの引っ掛けと解除とが確実に行えることになる。
【００１２】
請求項３に記載の連発式輪ゴム銃によれば、後側輪ゴム係止部が、前記フックの先端部が挿入可能な間隔持つ２つの爪から形成されているので、確実に、発射すべき単位の輪ゴムの後端部にフックを引っ掛けることができる。
【００１３】
請求項４に記載の連発式輪ゴム銃によれば、スライドの直線移動を回転運動に変換する運動変換機構と、ワンウェイクラッチとを設けているので、スライドが前進する際の付勢力によってシリンダを所定角度回転させることができる。
【図面の簡単な説明】
【００１４】
【図１】実施形態に係る連発式輪ゴム銃の外観斜視図である。
【図２】図１の連発式輪ゴム銃の内部構造を示す側面図である。
【図３】シリンダとシリンダ位置決め手段とを示す斜視図である。
【図４】トリガと係止部材との係合関係を示す図である。
【図５】カム機構を示す側面図である。
【図６】運動変換機構、ワンウェイクラッチ機構、歯車機構及びシリンダ位置決め機構を示す斜視図である。
【図７】ワンウェイクラッチ機構を示す図である。
【図８】図１の実施形態に掛かる連発式輪ゴム銃の変形例１を示す図である。
【図９】図１の実施形態に掛かる連発式輪ゴム銃の変形例２を示す図である。
【考案を実施するための形態】
【００１５】
以下、本考案の実施の形態を添付図面を参照して説明する。
図１は連発式輪ゴム銃の外観斜視図である。
まず、この連発式輪ゴム銃１００の理解を容易にするため、その使用方法の一例について説明する。
この連発式輪ゴム銃１００は、例えば、スライド３０が後方位置に係止されている状態で、シリンダ１０の外周に円周方向に等間隔で６本の輪ゴム１を係止する。この状態で、トリガ２０を１回後方に引くとスライド３０の係止が解除されて当該スライド３０が前方位置まで移動し、発射位置にある１本の輪ゴム１の後端部にフック３１（図２参照）が引っ掛かる。その後、スライド３０を手で後方に移動させるとフック３１が引っ掛かった１つの輪ゴム１の後端部が後方に引かれ当該輪ゴム１が緊張し、スライド３０が後方位置に係止される。この状態で、トリガ２０を１回後方に引くと、スライド３０の係止が解除され、スライド３０が前方位置に向けて移動する。そして、緊張した輪ゴム１の後端部に対するフック３１の引っ掛かりが解除され、当該輪ゴム１が前方に向けて発射されるとともに、シリンダ１０が前面視で反時計方向に所定量回転する。このシリンダ２０の回転によって、次に発射位置に来た１本の輪ゴム１の後端部にフック３１が引っ掛かる。
このようにして、この連発式輪ゴム銃１００では、シリンダ１０に係止した複数の輪ゴム１を連続的に発射することが可能となっている。
【００１６】
次に、この連発式輪ゴム銃１００の構成の詳細を説明する。
図２は連発式輪ゴム銃１００の内部構造を示す側面図である。
この連発式輪ゴム銃１００は、シリンダ１０、トリガ２０、スライド３０及びフック３１の他、スライド係止手段Ａ、フック動作手段Ｂ、シリンダ回転手段Ｃ及びシリンダ位置決め手段Ｄを備えている。
【００１７】
図３はシリンダ１０及びシリンダ位置決め手段Ｄを示している。
シリンダ１０は、前後方向に延在する軸部１０ａの中心線を中心に回転可能となるように銃本体２に設けられている。このシリンダ１０は分離可能な前部シリンダ１０Ａと後部シリンダ１０Ｂとで構成されている。このシリンダ１０の外周には、外周方向に等間隔に輪ゴム掛けが６個設けられている。各輪ゴム掛けは、輪ゴム１の前端部を係止する前端側輪ゴム係止部１３と、輪ゴム１の後端部を係止する後端側輪ゴム係止部１４との組を備えている。
【００１８】
このうち前端側輪ゴム係止部１３は、前部シリンダ１０Ａに備えられ、シリンダ１０の軸部１０ａの半径方向外方に突出する１つの突片１５の前端に切欠き１５ａを設けることによって形成されている。ただし、この場合の切欠き１５ａは無くてもよい。要は、輪ゴム１の前端部を係止できる爪となっていることである。
一方、後端側輪ゴム係止部１４は、後部シリンダ１０Ｂに備えられ、シリンダ１０の軸部１０ａの半径方向外方に突出し互いに平行な２つの突片１６，１６の後端にそれぞれ切欠き１６ａを設けることによって形成されている。２つの突片１６，１６はシリンダ１０の外周方向に互いに所定間隔隔てて形成されており、２つの突片１６，１６の間にはフック３１の先端部が入り込めるようになっている。なお、後端側輪ゴム係止部１６の切欠き１６ａは無くてもよい。要は、輪ゴム１の後端部を係止できる爪となっていることである。
【００１９】
図２に戻り、トリガ２０は、トリガカバー２１に覆われて設けられている。トリガ２０は銃本体２のグリップ２ａに設けられ、前後方向に移動可能に構成されている。そして、このトリガ２０は、コイルばね２２の付勢力によって前方に向けて付勢されている。したがって、ユーザがトリガ２０を指で後方に引いた後に指の力を緩めるとトリガ２０がコイルばね２２の付勢力によって前方の初期位置に復帰する。なお、トリガ２０は所定の軸を中心に回動可能に構成されていてもよい。
【００２０】
続いて、スライド係止手段Ａについて説明する。
スライド係止手段Ａは、スライド３０を後方位置に係止する機能と、トリガ２０を後方に引いた際にスライド３０の係止を解除する機能を有している。
このスライド係止手段Ａは、トリガ２０の一側面に付設された突起２０ａと、グリップ２ａ内でトリガ２０の後方に配置され上下方向に往復直線動作可能な係止部材２３とを備えている。
係止部材２３は、縦方向に長尺な長孔２３ａ，２３ａを有し、この長孔２３ａ，２３ａにはグリップ２ａ内面に設けられた柱状部材２４が入り込んでいる。そして、係止部材２３は、この柱状部材２４に案内されて上下方向に動作する。柱状部材２４は螺子用のボスであってもよい。
この係止部材２３には、下端部に側面視で楕円状の板ばね２３ｂが付設されている。この板ばね２３ｂは、下端がグリップ２ａ内の固定部２５に当接しており、係止部材２３を上方に向けて付勢している。この板ばね２３ｂの代わりに、コイルばねその他の付勢部材を設けてもよい。
また、係止部材２３には、上記グリップ２０の突起２０ａに対向する部分に、トリガ２０が後方に引かれた際に当該突起２０ａに摺接して当該係止部材２３を板ばね２３ａの付勢力に抗して下方に移動させる摺接部２３ｃが形成されている。この摺接部２３ｃは、上記突起２０ａが上方から摺接する突起部として形成されていてもよいし、上記突起２０ａが入り込む溝やスリットとして形成されていてもよい。
なお、本実施形態の連発式輪ゴム銃１００では、トリガ２０側に突起２０ａを、係止部材２３側に突起２０ａに摺接する摺接部２３ｃを形成したが、係止部材２３側に突起を、トリガ２０側に当該突起に摺接する摺接部を形成してもよい。要は、トリガ２０が後方に操作された際に、係止部材２３が下降することである。
【００２１】
次に、スライド３０について説明する。
スライド３０は、銃本体２に前後方向に延在するように形成された溝（図示せず）に嵌合する凸部（図示せず）を備え、当該凸部が当該溝に沿って移動することで、前後方向に往復直線動作するように構成されている。スライド３０を往復直線動作させる構造は勿論これに限定されない。
スライド３０には、図２に示すように、上記フック３１と、上記係止部材２３によって係止可能な被係止部３２とが設けられている。
なお、このスライド３０の上には照準部材３３が着脱可能に設けられ、この照準部材３３を離脱させた状態でも、連発式輪ゴム銃１００は使用できる。また、この実施形態では、トリガ２０の他に係止部材２３を設けてスライド３０を係止することとしたが、トリガ２０によってスライド３０を係止する構造としてもよい。
【００２２】
フック３１は、図２及び図５に示すように、中間部がスライド３０に軸３１ａを介して回動可能に支持されている。フック３１の一端側の先端部には輪ゴム１の後端部に引っ掛けるための爪３１ｂが形成されている。このフック３１の軸３１ａにはねじれコイルばね（図示せず）が巻装されており、図２において爪３１ｂが下動する方向（反時計方向）に付勢されている。また、フック３１の他端部の側面には突起３１ｄが形成されている。
【００２３】
上記フック３１の突起３１ｄは、図５に示すように、銃本体２の内面に形成されたカム溝４０に入り込んでいる。カム溝４０は、前後方向に延在する下溝４０ａ及び上溝４０ｂから形成されている。そして、下溝４０ａと上溝４０ｂとは前端側及び後端側で互いに結合されている。
カム溝１０ａの前端部では上溝４０ｂの上縁が台形状に膨らんでおり、スライド３０が前方位置まで移動した際にフック３１が、軸３１ａに巻装されたねじれコイルばねの付勢力によって、下動する方向（反時計方向）に回動する。これによって、フック３１、具体的には爪３１ｂが輪ゴム１の後端部に引っ掛かる。そして、この状態から、スライド３０が後方に向けて移動すると、突起３１ｄが上溝４０ｂを倣うようにしてフック３１も後方に向けて移動する。このときには、爪３１ｂは輪ゴム１の後端部に引っ掛かったままである。スライド３０が後方位置まで引かれ、スライド係止手段Ａによって係止されると、突起３１ｄはカム溝４０の後端部に至る。このとき、カム溝４０の後端部は下溝４０ａと上溝４０ｂの中間の高さ位置となるが、爪３１ｂは輪ゴム１の後端部に引っ掛かったままである。また、このとき、フック３１が銃本体２ａの固定部（図示せず）に突き当たり、突起３１ｄは下溝４０ａと上溝４０ｂとの仕切り壁４０ｃの下側に僅かに潜り込む。この状態で、スライド３０の係止が解除されると、スライド３０はコイルばね３０ａの付勢力によって前方に移動する。このとき、突起３１ｄは下溝４０ａを倣うが、仕切り壁４０ｃの下面に摺接する。仕切り壁４０ｃの下面は後端側が傾斜面となっているので、その箇所で、フック３１がねじれコイルばね３１ｃの付勢力によって上動する方向（図２の時計方向）に回動する。これによって、輪ゴム１の後端部に対する爪３１ｂの引っ掛かりが解除され、輪ゴム１が発射される。
【００２４】
次に、シリンダ回転手段Ｂについて説明する。
このシリンダ回転手段Ｂは、前後方向に往復直線動作する直動部材５０と、直線運動を回転運動に変換する運動変換機構５１と、ワンウェイクラッチ機構５２と、歯車機構５３とを備えている。
直動部材５０はコイルばね５４（図２参照）の付勢力によって後方に向けて付勢されている。この直動部材５０は、スライド３０が前方に向けて移動した際に上記被係止部３２が突き当たる位置に配設されている。コイルばね５４の付勢力は上記コイルばね３０ａの付勢力によりも小さく、直動部材５０は、スライド３０が前方に移動した際に上記被係止部３２が突き当たると、被係止部３２に押されて前方に移動する。
図６に示すように、この直動部材５０には上面視で前後方向に対して傾斜するスリット５０ａが形成されている。そして、このスリット５０ａには前後方向に延在する軸５５に形成した突起５５ａが入り込んでいる。この軸５５及び上記スリット５０ａは運動変換機構５１を構成し、直動部材５０の前後の直線運動を軸５５の回転運動に変換する。
軸５５には、図７に示すように、前端部に円周の一方向に張り出す弧状の２つの板状ばね５６，５６が形成されている。この２個の板状ばね５６，５６は軸５５の中心に対して点対称に形成されている。この板状ばね５６の先端の外側には係合部５６ａが形成されている。また、軸５５の前端部には歯車５７が設けられている。この歯車５７は環状に形成され、その内周には、凹部５７ａが円周方向に等間隔に６個形成されている。この凹部５７ａは上記板状ばね５６の係合部５６ａと係合可能となっている。そして、直動部材５０が前方に移動し、軸５５が所定方向（図７の反時計方向）に回転した際に、係合部５６ａと凹部５７ａとが係合し、歯車５７が同じ方向に回転する。一方、直動部材５０が後方に移動し、軸５５が上記所定方向とは反対の方向に回転した際に、板状ばね５６が撓み、軸５５から歯車５７への動力の伝達が遮断される。この板状ばね５６及び凹部５７ａはワンウェイクラッチ機構として機能し、軸５５の回転を歯車５７の一方向の回転に変換する。
【００２５】
図６に示すように、歯車５７は出力歯車６０に噛合している。ここでは、歯車５７及び出力歯車６０の歯数は６の倍数に設定している。そして、これにより歯車５７の回転動力は出力歯車６０に伝達される。この出力歯車６０にはシリンダ１０の角穴１０ｂ（図３参照）に嵌合する角軸６０ａが形成されている。
また、出力歯車６０には軸の外周に円周方向に等間隔に窪み６１ａが６個形成された回転体６１が配置されている。この回転体６１近くには弾性を有する音出し用の爪部材（図示せず）が設けられている。そして、出力歯車６０の回転に伴って、窪み６１ａと爪部材とが係合した位置でクリック感が醸し出される。
【００２６】
次に、シリンダ位置決め手段Ｄについて説明する。
シリンダ位置決め手段Ｄは銃本体２に設けられている。このシリンダ位置決め手段Ｄはシリンダ位置決め部材７０を備えている。このシリンダ位置決め部材７０は、軸７０ａを中心に回動可能に構成されている。この位置決め部材７０は、側面視で波形に湾曲した板ばね７１と、上記後側輪ゴム係止部１４を受容する凹部７２ａを有する係止部７２とを備えている。このシリンダ位置決め部材７０の一側面には溝７０ｂが形成され、この溝７０ｂには直動部材５０の前端部下の突起（図示せず）が入り込んでいる。そして、直動部材５０が前方に移動し、シリンダ１０が所定量回転し終わったときに係止部７２が上動するように構成されている。この係止部７２は、上動位置にあるとき凹部７２ａの互いに対向する側壁で上記後側輪ゴム係止部１４を挟持することで、シリンダ１０の位置決めを行い、下動位置にあるときに位置決め解除を行う。
【００２７】
上記銃本体２のフレーム２ｂは、シリンダ１０を迂回するように当該シリンダ１０の下方を経て当該シリンダ１０の前方まで延びている。このフレーム２ｂのうちシリンダ１０の前方に位置する部分は、シリンダ１０の前端を軸支している。この軸支は、特に制限されないが、フレーム２ａに組み込んだＵ字状の板状ばねによって行われる。
また、フレーム２ｂのうちシリンダ１０の下方部分は途中で前後に分離可能できるように構成されている。例えば、すなわち、フレーム２ａにおけるシリンダ１０の下方部分の前部と後部とが凹部と凸部との嵌合、又は爪と爪係止部との係合によって結合される構造となっており、その嵌合又は係合を解除することによって、分離可能となっている。そして、この前部と後部との間に、図８に示すように繋ぎフレーム９０を介在させることができる。この繋ぎフレーム９０の結合構造は上記前部と上記後部の結合構造と同様のものを採用できる。そして、上記シリンダ１０の前部シリンダ１０Ａと後部シリンダ１０Ｂとの間に補助シリンダ１０Ｃを連結することによって、シリンダ１０全体の長さを大きくすることができるようにされている。
なお、上記シリンダ１０の前部１０Ａと後部１０Ｂとの間に補助シリンダ１０Ｃを連結するのではなく、一体となった長い他のシリンダを用意しておき、それを装着することもできる。
【００２８】
また、図９に示すように、フレーム２ｂの下側には前グリップ９１やストック９２を着脱可能に構成してもよい。
【００２９】
以上、本考案の実施形態について説明したが、本考案は、かかる実施形態に限定されず、その要旨を逸脱しない範囲で種々の変形が可能である。
例えば、上記実施形態ではシリンダ１０の外周に１本ずつ計６本の輪ゴム１を取り付けるようにしたが、１箇所に複数本ずつ輪ゴム１を取り付けてもよい。
【符号の説明】
【００３０】
１          輪ゴム
２          銃本体
１０        シリンダ
２０        トリガ
３０        スライド
３１        フック
Ａ          スライド係止手段
Ｂ          フック動作手段
Ｃ          シリンダ回転手段
Ｄ          シリンダ位置決め手段
【図１】
0003195039.tif 000003
【図２】
0003195039.tif 000004
【図３】
0003195039.tif 000005
【図４】
0003195039.tif 000006
【図５】
0003195039.tif 000007
【図６】
0003195039.tif 000008
【図７】
0003195039.tif 000009
【図８】
0003195039.tif 000010
【図９】
0003195039.tif 000011